(57)【要約】管状プラスチック薄膜（１８）はしわが寄せられる。ファン（６４）により空気が管の一端を通るように噴出される。空気は管を通り、薄膜の伸張機（３０）を通り、更にシールステーションを通過する。シールステーションは薄膜を横切る方向に隣接する２個のシールを設けるとともに、単一の操作でそれらの隣接するシール間に弱められた線を形成する。連続密封操作によりもたらされる離間したシール間においてエアバッグは形成される。
2006518310.tif 000002
【特許請求の範囲】
【請求項１】
エアバッグ製造装置であって、シールステーションへ供給されるように構成される薄膜管を含み、シールステーションは使用により、管の幅方向にシールを適用し、離間した２個のシール間において管内に空気を封じ込めるように構成されており、空気は管の開放端から管を通り、離間した２個のシール間で封じ込められるように供給されることを特徴とするエアバッグ製造装置。
【請求項２】
管は供給ステーションからシールステーションへ供給されるように構成されることを特徴とする請求項１に記載の装置。
【請求項３】
供給ステーションは管を通る通路を維持するように構成されることを特徴とする請求項２に記載の装置。
【請求項４】
離間した２個のシール間で封じ込められる空気は、しわが寄せられた管の全長に沿って管の中に何もない状態で、管の内壁を通過するように構成されることを特徴とする請求項１乃至３のいずれか一項に記載の装置。
【請求項５】
供給ステーションは中空部材を含み、管は中空部材の周囲に配置されることを特徴とする請求項２、３又は４に記載の装置。
【請求項６】
離間した２個のシール間に封じ込められる空気は、中空部材の内部を通過するように構成されることを特徴とする請求項５に記載の装置。
【請求項７】
離間した２個のシール間に封じ込められる空気は、管の露出内壁を越えて管の内部を通過するように構成されることを特徴とする請求項１乃至６のいずれか一項に記載の装置。
【請求項８】
管はしわが寄せられることを特徴とする請求項１乃至７のいずれか一項に記載の装置。
【請求項９】
管はその軸方向範囲においてしわが寄せられることを特徴とする請求項８に記載の装置。
【請求項１０】
管から袋が形成される前に管にしわが寄せられ、しわが寄せられた管の長さと伸長させられた時の管の長さの比率は１対２より大きいことを特徴とする請求項８又は９に記載の装置。
【請求項１１】
しわが寄せられた管はその全長中に開口を維持するように構成されることを特徴とする請求項８乃至１０のいずれか一項に記載の装置。
【請求項１２】
管にしわを寄せる間に引き起こされる圧縮によって管の全長中に開口を維持するだけで、しわが寄せられた管は開口を維持するように構成されることを特徴とする請求項１１に記載の装置。
【請求項１３】
供給ステーションは装置に取り外し可能に取り付けられることを特徴とする請求項２又は請求項２の従属項に記載の装置。
【請求項１４】
以前の供給ステーションがもはや必要なくなった時に、異なる供給ステーションが使用されることを特徴とする請求項１３に記載の装置。
【請求項１５】
供給ステーションを取り付ける間に、供給ステーションは装置と部分的に係合し、且つ管の長手軸に対して少なくとも一つの軸方向へ移動するように構成されることを特徴とする
請求項２又は請求項２の従属項に記載の装置。
【請求項１６】
供給ステーションを取り付ける間に、供給ステーションは弾性付勢力に抗して少なくとも一つの軸方向へ移動するように構成されることを特徴とする請求項１５に記載の装置。
【請求項１７】
供給ステーションが装置に取り付けられる時には、装置により所定位置に保持され、供給ステーションがシールステーションへ向けて更に移動するのを阻止するように構成されることを特徴とする請求項２又は請求項２の従属項に記載の装置。
【請求項１８】
供給ステーションはその下方から支持されるように構成されることを特徴とする請求項２又は請求項２の従属項に記載の装置。
【請求項１９】
薄膜管は管を横断する方向に寸法がより大きい伸張機を、他のシールステーションによって形成されるシールが次に管を横断する方向に形成されるように通過させられることを特徴とする請求項１乃至請求項１８のいずれか一項に記載の装置。
【請求項２０】
伸張機は中空であることを特徴とする請求項１９に記載の装置。
【請求項２１】
伸張機は空気を通過させるように構成されており、空気は離間した２個のシール間で封じ込められる空気であることを特徴とする請求項２０に記載の装置。
【請求項２２】
空気が管へ供給される時に、空気は伸張機の少なくとも１個の面上を流れるように構成されることを特徴とする請求項１９、２０又は２１に記載の装置。
【請求項２３】
伸張機は供給ステーションの下流に配置されることを特徴とする請求項１９乃至請求項２２のいずれか一項に記載の装置。
【請求項２４】
伸張機は供給ステーションに固定されることを特徴とする請求項１９乃至請求項２３のいずれか一項に記載の装置。
【請求項２５】
伸張機は薄膜によって薄膜内に保持されるように構成されることを特徴とする請求項１９乃至請求項２４のいずれか一項に記載の装置。
【請求項２６】
薄膜をシールステーションへ供給するように構成される駆動手段を含むことを特徴とする請求項１乃至請求項２５のいずれか一項に記載の装置。
【請求項２７】
薄膜は手動でシールステーションを通り引き出されるように構成されることを特徴とする請求項１乃至請求項２６のいずれか一項に記載の装置。
【請求項２８】
シールステーションは管が静止している時にシールを施すように構成されることを特徴とする請求項１乃至請求項２７のいずれか一項に記載の装置。
【請求項２９】
シールステーションは管が移動している時にシールを施すように構成されることを特徴とする請求項１乃至請求項２７のいずれか一項に記載の装置。
【請求項３０】
シールステーションは熱を加えることによりシールを施し、次にシールステーションで管を保持するように構成されることを特徴とする請求項２８又は２９に記載の装置。
【請求項３１】
シールステーションは熱を加えてシールを施し、次に例えば熱により誘発された温度が減少する所定期間等の一定時間、シールステーションで管を保持するように構成されること
を特徴とする請求項３０に記載の装置。
【請求項３２】
シールステーションはシールアクチュエータを含み、シールアクチュエータは薄膜をシール手段と隣接するように移動させることを特徴とする請求項１乃至請求項３１のいずれか一項に記載の装置。
【請求項３３】
アクチュエータは薄膜をシールステーションと隣接する状態で保持するように構成されることを特徴とする請求項３２に記載の装置。
【請求項３４】
アクチュエータにより作用させられる力がもはや付与されなくなった後に、アクチュエータは薄膜をシール部材と隣接する状態で保持するように構成されることを特徴とする請求項３３に記載の装置。
【請求項３５】
アクチュエータにより作用させられる力がアクチュエータの作動時にオーバセンタ位置へ移動させられるリンク機構によりもはや付与されなくなった後に、アクチュエータは薄膜をシール部材と隣接する状態で保持するように構成されることを特徴とする請求項３４に記載の装置。
【請求項３６】
薄膜のシール手段に対する隣接保持を解放するように構成される解放アクチュエータを含むことを特徴とする請求項１乃至請求項３５のいずれか一項に記載の装置。
【請求項３７】
解放アクチュエータはリンク機構を移動させるように構成されており、リンク機構は中心を越えてオーバセンタ位置に戻ることを特徴とする請求項３６に記載の装置。
【請求項３８】
シールアクチュエータ及び解放アクチュエータは、作動時に反対方向へ移動するように構成されることを特徴とする請求項３２乃至請求項３５のいずれか一項に従属する請求項３６又は請求項３７に記載の装置。
【請求項３９】
シールアクチュエータ及び解放アクチュエータはリンク機構に接続されることを特徴とする請求項３２乃至請求項３５のいずれか一項に従属する請求項３６乃至請求項３８のいずれか一項に記載の装置。
【請求項４０】
リンク機構は軸リンク機構であることを特徴とする請求項３９に記載の装置。
【請求項４１】
リンク機構はロストモーション効果を含むことを特徴とする請求項３９又は４０に記載の装置。
【請求項４２】
シールステーションは手動操作可能であることを特徴とする請求項１乃至請求項４１のいずれか一項に記載の装置。
【請求項４３】
シールステーションは自動操作可能であることを特徴とする請求項１乃至請求項４２のいずれか一項に記載の装置。
【請求項４４】
シールステーションは隣接する一対のシールを形成するように構成されることを特徴とする請求項１乃至請求項４３のいずれか一項に記載の装置。
【請求項４５】
シールステーションはシール操作を行う時に、隣接するシール間において管の弱化をもたらすように構成されることを特徴とする請求項４４に記載の装置。
【請求項４６】
シールステーションの操作頻度は調節可能であることを特徴とする請求項１乃至請求項４
５のいずれか一項に記載の装置。
【請求項４７】
シールステーションを通過する管の送り速度は調節可能であることを特徴とする請求項１乃至請求項４６のいずれか一項に記載の装置。
【請求項４８】
離間する２個のシール間において管に封じ込められる空気はファンにより供給されることを特徴とする請求項１乃至請求項４７のいずれか一項に記載の装置。
【請求項４９】
離間する２個のシール間において管に封じ込められる空気は、管の上流端へ供給されるように構成されることを特徴とする請求項４８に記載の装置。
【請求項５０】
空気は薄膜容器の開口を通り、管の上流端へ供給されるように構成されることを特徴とする請求項４９に記載の装置。
【請求項５１】
空気収容袋の形成方法であって、袋が形成される管の一端から管を通りシールステーションを通過するように空気を管へ供給する工程と、シールステーションにより管を横切る方向にシールをもたらす工程とを含むことを特徴とする方法。
【請求項５２】
管の内壁と流体連通する管を通るように空気を供給する工程を含むことを特徴とする請求項５１に記載の方法。
【請求項５３】
管にしわが寄せられた状態で、空気を管を通過させる工程を含むことを特徴とする請求項５１又は５２に記載の方法。
【請求項５４】
管は自然に湾曲させられた状態で、管を貫通する空の開口を維持するようにしわが寄せられていることを特徴とする請求項５３に記載の方法。
【請求項５５】
しわが寄せられた薄膜の供給物を取り出す工程と、薄膜をシールステーションへ移動させる工程とを含むことを特徴とする請求項５３又は５４に記載の方法。
【請求項５６】
管を収容する容器を供給することにより薄膜の供給物を取り替えることを特徴とする請求項５１乃至請求項５５のいずれか一項に記載の方法。
【請求項５７】
容器を上方に面する支持具まで降下させる工程を含むことを特徴とする請求項５６に記載の方法。
【請求項５８】
機械に管を装着した時に、管を伸張機を通過させる工程を含むことを特徴とする請求項５１乃至請求項５７のいずれか一項に記載の方法。
【請求項５９】
空気を管へ供給した時に、空気を伸張機のまわりを通過させる工程を含むことを特徴とする請求項５１乃至請求項５８のいずれか一項に記載の方法。
【請求項６０】
管で伸張機を支持する工程を含むことを特徴とする請求項５１乃至請求項５９のいずれか一項に記載の方法。
【請求項６１】
モーメント力を薄膜の供給物に作用させることなく管を支持する工程を含むことを特徴とする請求項５１乃至請求項６０のいずれか一項に記載の方法。
【請求項６２】
シールステーションの下流位置で袋を機械から取り出す工程を含むことを特徴とする請求項５１乃至請求項６１のいずれか一項に記載の方法。
【請求項６３】
管を介して供給される空気によって管を供給ステーションを通過するように付勢する工程を含むことを特徴とする請求項５１乃至請求項６２のいずれか一項に記載の方法。
【請求項６４】
シール間における袋の長さを変更することにより、袋の全長を変更する工程を含むことを特徴とする請求項５１乃至請求項６３のいずれか一項に記載の方法。
【請求項６５】
所定長さの袋に入れられる空気量を変更する工程を含むことを特徴とする請求項５１乃至請求項６４のいずれか一項に記載の方法。
【請求項６６】
充填機を含み、充填機は第１量の空気を有する第１長さの袋を形成し、次に第２量の空気を有する第１長さの袋を形成することを特徴とする請求項５１乃至請求項６５のいずれか一項に記載の方法。
【請求項６７】
充填機を含み、充填機は第１量の空気を有する第１長さの袋を形成し、次に第３量の空気を有する第２長さの袋を形成することを特徴とする請求項５１乃至請求項６６のいずれか一項に記載の方法。
【請求項６８】
第３量の空気は第１長さを備えた先の袋と同じ空気量であることを特徴とする請求項６７に記載の方法。
【請求項６９】
請求項１乃至請求項５０のいずれか一項に記載の装置を使用する請求項５１乃至請求項６８のいずれか一項に記載の袋形成方法。
【請求項７０】
使用においてエアバッグに形成されるカートリッジであって、エアバッグが形成される長手状管を含み、管はその全長中に通路を含み、使用においてエアバッグ内に空気を含むように空気は通路を通過させられることを特徴とするカートリッジ。
【請求項７１】
空気が薄膜を通過させられない時であっても通路は開放されるように構成されることを特徴とする請求項７０に記載のカートリッジ。
【請求項７２】
管はその長手軸に沿ってしわが寄せられており、しわが寄せられた薄膜の全長は伸張させられた薄膜の全長よりも短いことを特徴とする請求項７０に記載のカートリッジ。
【請求項７３】
通路はしわが寄せられた薄膜が常態で果たす屈曲中に開放するように構成されることを特徴とする請求項７１又は７２に記載のカートリッジ。
【請求項７４】
容器を含み、薄膜は容器内に配置されることを特徴とする請求項７０乃至請求項７３のいずれか一項に記載のカートリッジ。
【請求項７５】
薄膜はその側面まわりが容器から離れていることを特徴とする請求項７４に記載のカートリッジ。
【請求項７６】
薄膜は容器の少なくとも一端から離れていることを特徴とする請求項７４又は７５に記載のカートリッジ。
【請求項７７】
管の中に延在する長手状部材を含み、空気は長手状部材内を流通するように構成されることを特徴とする請求項７０乃至請求項７６のいずれか一項に記載のカートリッジ。
【請求項７８】
長手状部材はキャリヤを含むことを特徴とする請求項７７に記載のカートリッジ。
【請求項７９】
請求項５１乃至請求項６９のいずれか一項に記載の方法において使用され、或いは請求項１乃至請求項５０のいずれか一項に記載の装置において使用される請求項７０乃至請求項７８のいずれか一項に記載のカートリッジ。
【請求項８０】
エアバッグに形成される中空管の供給物にしわを寄せる方法であって、管の一部が芯を包囲するように芯と管を相対移動させ、次に管の長手方向範囲を減少させてより多くの管に芯を包囲させる工程を含むことを特徴とする方法。
【請求項８１】
内側断面積が芯の外側断面積よりも大きい管を装着する工程を含むことを特徴とする請求項８０に記載の方法。
【請求項８２】
管を芯へ移動させる工程を含むことを特徴とする請求項８０又は８１に記載の方法。
【請求項８３】
摩擦駆動により管を芯へ移動させる工程を含むことを特徴とする請求項８２に記載の方法。
【請求項８４】
第１駆動装置及び第２駆動装置よって管を芯へ移動させる工程を含み、第１駆動装置は管を芯に沿って第１方向へ移動させ、第２駆動装置は第１駆動装置が第２方向に作動する相対位置を移動させることを特徴とする請求項８２又は８３に記載の方法。
【請求項８５】
第１及び第２駆動装置は同時に作動することを特徴とする請求項８４に記載の方法。
【請求項８６】
しわが寄せられた管を芯から取り外す工程を含むことを特徴とする請求項８０乃至請求項８１のいずれか一項に記載の方法。
【請求項８７】
管からエアバッグを形成する前に、しわが寄せられた管を芯から取り外す工程を含むことを特徴とする請求項８６に記載の方法。
【請求項８８】
請求項７８乃至請求項８４のいずれか一項に記載の中空薄膜供給物へのしわ寄せ方法であって、請求項６９乃至請求項７７のいずれか一項に記載の薄膜カートリッジにおいて、或いは請求項５０乃至請求項６７のいずれか一項に記載の方法において使用され、或いは請求項１乃至請求項４９のいずれか一項に記載の装置において使用されるしわが寄せられた中空薄膜を使用する工程を含むことを特徴とする方法。
【発明の詳細な説明】
【技術分野】
【０００１】
本発明はエアバッグ製造装置、エアバッグ製造方法、及び使用においてエアバッグに形成されるカートリッジに関する。
【背景技術】
【０００２】
内部に空気が入れられたプラスチック袋を形成する機械は、例えば本願出願人の同時係属出願である特許文献１に記載されている。特許文献１の内容はここに開示されたものとする。そのような周知の機械において、ノズルが薄膜管に突き通されており、空気を噴出する。これにより極めて満足のいく袋が得られるが、幾つかの欠点がある。とりわけ、ノズルを管に挿入するために相当に多くの機械類を必要としており、機械類は供給コストが高く且つ定期的にメンテナンスを必要とする。また、各袋の全長を容易に調節することができない。
【特許文献１】欧州特許出願公開第１  ２４５  ４９１号明細書
【発明の開示】
【発明が解決しようとする課題】
【０００３】
その他のエアバッグ形成方法では、プラスチックシートを有する工程を含む。プラスチックシートはその長さ方向まわりに折り返されており、一方側に折り目を備えるとともに他方側に開口縁を備える。シートはその全長を横切る方向において、袋の長さに対応する離間した位置で予め溶着される。空気が他方側から送られ、次にその他方側は密封されて袋が形成される。この薄膜は高価である。また、袋の他方側は必ずしも十分に開放されず、それ故、充填空気が一致しない袋が製造される。加えて、各袋の全長は部分的に予め密封される薄膜によって予め決められる。
【０００４】
本発明の目的は、上記又はその他の欠点の少なくとも１つを解消することにある。
【課題を解決するための手段】
【０００５】
本発明の一態様において、エアバッグ製造装置であって、シールステーションへ供給されるように構成される薄膜管を含み、シールステーションは使用により、管の幅方向にシールを適用し、離間した２個のシール間において管内に空気を封じ込めるように構成されており、空気は管の開放端から管を通り、離間した２個のシール間で封じ込められるように供給される。
【０００６】
管は供給ステーションからシールステーションへ供給される。
供給ステーションは管を通る通路を維持するように構成される。供給ステーションは管状部材等の中空部材を含み、管は中空部材の周囲に配置される。離間した２個のシール間で封じ込められる空気は、しわが寄せられた全長に沿って中に何もない管により、中空部材の内部を通過し、或いは又は加えて、管の露出内壁を越えて管の内部を通過する。
【０００７】
管は供給ステーションの容器内に配置される。管はその側面まわりが、或いは管の端部まわりが、或いはその両方で容器から離れている。
容器は出口を含み、薄膜は出口から供給ステーションへ送られる。
【０００８】
薄膜管はしわが寄せられるように構成されており、例えば管の軸方向範囲においてしわが寄せられる。
管から袋が形成される前に管にしわが寄せられ、しわが寄せられた管の長さと伸長させられた時の管の長さの比率は１対２より大きく、又は１対２より大きく、又は１対１００
の範囲内にあり、又は１対１００より大きく、又は１対２００の範囲内にあり、又は１対２００より大きく、又は１対３００の範囲内にあり、又は１対３００より大きい。管にしわを寄せる間に引き起こされる圧縮によってのみ管の全長中に開口を維持する等して、しわが寄せられた管は開口を維持するように構成される。
【０００９】
供給ステーションは装置に取り外し可能に取り付けられる。例えば以前の供給ステーションが空になり以前の供給ステーションがもはや必要なくなった時に、異なる供給ステーションが使用される。
【００１０】
供給ステーションを取り付ける間に、供給ステーションは装置と部分的に係合し、且つ管の長手軸に対して少なくとも一つの軸方向へ、好適にはこのように係合された時に２つの軸方向へ移動するように構成され、これら軸方向への動のいずれか或いは両方は弾性付勢力に抗して、又は弾性付勢力を伴う。例えば、一つの軸方向への移動は弾性付勢力に抗し、他の軸方向への移動は弾性付勢力を伴う。弾性付勢力は圧縮ばね等のばねを含む。
【００１１】
供給ステーションが装置に取り付けられる時には、装置により所定位置に保持され、供給ステーションがシールステーションへ向けて更に移動するのを阻止するように構成される。供給ステーションは少なくとも一端において少なくとも部分的に支持され、例えばシールステーションから最も離れた端部で、例えば装置の支持部材により支持される。支持部材は供給ステーション内に延在し、また供給ステーションに沿って延在する。或いは又は加えて、供給ステーションはその一端において、好適にはシールステーションに最も近い端部において、ブラシにより又は上側及び下側ブラシにより少なくとも部分的に支持される。
【００１２】
供給ステーションは少なくとも１個の端部に対して、好適には両端に対してエンドストッパを含む。エンドストッパは助力を要することなく１個または各ストッパを超える薄膜の移動を阻止する。１個の又は各エンドストッパは円形フランジ等のフランジを含み、フランジは前記端部において管の長手軸に対して径方向外方へ延出する。
【００１３】
薄膜管は管を横断する方向に寸法がより大きい伸張機を、他のシールステーションによって形成されるシールが次に管を横断する方向に形成されるように通過さららせる。伸張機は中空であり、また空気を通過させるように構成されており、空気は離間した２個のシール間で封じ込められる空気である。及び又は加えて、空気が管へ供給される時に、空気は伸張機の少なくとも１個の面上を、好適には対向する２個の面上を流れるように構成される。
【００１４】
伸張機は供給ステーションの下流に配置される。伸張機は供給ステーションに固定される。伸張機は供給ステーションへの圧力嵌め又はバイオネット嵌め等により、供給ステーションに取り外し可能に取り付けられる。或いは又は加えて、伸張機は薄膜内に遊離保持される。
【００１５】
装置は薄膜をシールステーションへ供給するように構成される駆動手段を含む。或いは又はくわえて、薄膜は手動でシールステーションを通り引き出される。
装置はシールステーションの上流においえ管へ作動力を伝え、管の軸方向離間部分を相互に離間させるように付勢する。作動力は相互に離間させられた一対の部材により付与される。その対部材の下流側のものは例えば管の対向側面から管を駆動するように構成される。上流側部材はまた、上流側駆動部材により管へ伝えられる駆動速度で薄膜を移動させ、その速度は下流側部材により伝達される駆動速度よりも遅い。上流側部材及び下流側部材間において薄膜のすべりが発生させられる。これら部材のいずれか又は両方が駆動させられる時には、部材はローラを含む。
【００１６】
シールステーションは管が静止している時、或いは管が移動している時にシールを施すように構成される。シールステーションは熱を加えることによりシールを施し、次に管が前進させられる前に、例えば熱により誘発された温度が減少する所定期間等、シールステーションで管を保持するように構成される。
【００１７】
シールステーションは電子駆動式アクチュエータ等のシールアクチュエータを含み、シールアクチュエータは薄膜をシール手段と隣接するように移動させる。アクチュエータは薄膜をシールステーションと隣接する状態で保持する。アクチュエータにより作用させられる力がアクチュエータの作動時にオーバセンタ位置へ移動させられるリンク機構等によりもはや付与されなくなった後に、アクチュエータは薄膜をシール部材と隣接する状態で保持するように構成される。薄膜のシール手段に対する隣接保持を解放するように構成される電子駆動式アクチュエータ等の解放アクチュエータを含む。解放アクチュエータはリンク機構を移動させるように構成されており、リンク機構は中心を越えてオーバセンタ位置に戻る。シールアクチュエータ及び解放アクチュエータが設けられる場合には、それらは薄膜にシールをもたらし、又は薄膜をシールステーションから解放させる移動方向に対して横に又は直交するように反対方向へ移動するように構成される。シールアクチュエータ及び解放アクチュエータは軸リンク機構等のリンク機構に接続され、リンク機構はロストモーション効果を含み、ロストモーション降下はまた軸を含む。
【００１８】
シールステーションは手動又は自動操作可能である。シールステーションは各密封操作の間に隣接する一対のシールを形成するように構成される。シールステーションはシール操作を行う時に、例えばシールをもたらすときに管を横切る一連の穿孔を施すことにより、隣接するシール間において管の弱化をもたらすように構成される。袋は例えば手動で又は例えば一対のローラにより自動で引っ張られることにより、シールステーションの下流側位置において引っ張られるように構成される。
【００１９】
シールステーションの操作頻度は調節可能である。或いは又は加えて、シールステーションを通過する管の送り速度は調節可能である。
離間する２個のシール間において管に封じ込められる空気はファンにより供給され、例えば薄膜容器の開口から管の上流端へ供給されるように構成される。
【００２０】
本発明の別の態様において、空気収容袋の形成方法であって、袋が形成される管の一端から管を通りシールステーションを通過するように空気を管へ供給する工程と、シールステーションにより管を横切る方向にシールをもたらす工程とを含む。
【００２１】
本方法は、管の内壁と流体連通する管を通るように空気を供給する工程を含む。
本方法は、管に空気を通す工程を含み、管は自然に湾曲させられた状態で、管を貫通する空の開口を維持するようにしわが寄せられている。
【００２２】
本方法は、しわが寄せられた薄膜の供給物を取り出す工程と、薄膜をシールステーションへ移動させる工程とを含む。
本方法は、例えば以前の薄膜供給物が空であり、又は必要なくなった時に、薄膜供給物を異なる薄膜供給物と取り替える工程を含む。本方法は、薄膜を収容する容器を供給することにより薄膜供給物を取り替える工程を含み、本方法は、容器を上方に面する支持具又は複数の支持具まで降下させる工程を含む。
【００２３】
本方法は、薄膜に管を横切る方向により大きい寸法を有する伸張機を、シールを横断する方向よりもシールが形成される方向に通過させる工程を含む。本方法は、機械に管を装着した時に、或いは袋を形成する間に薄膜が繰り返し伸張機を越えて引き出される時に、
伸張機に管を通過させる工程を含む。本方法は、伸張機の中を、又は伸張機のまわりに、又は伸張機の上方に空気を通過させて、後に空気を離間する２個のシール間で閉じ込める工程を含む。
【００２４】
本方法は、袋を形成する前に伸張機を供給ステーションに取り付ける工程を含む。或いは又は加えて、本方法は管で伸張機を支持する工程を含む。
本方法は、シールステーションの下流位置で袋の全長を伸張させる工程を含み、その下流位置ではたとえば薄膜に張力を作用させることにより薄膜にしわが寄せられる。
【００２５】
本方法は、シールステーションを手動で作動させてシールを形成する工程を含み、或いは自動的に作動させてシールを形成する工程を含み、或いはそれら工程の両方を含む。
本方法は、管供給物の重さにより生じる下向きの力又はモーメント力の両方を阻止する部材により薄膜の供給を支持する工程を含み、或いはモーメント力を薄膜供給物に作用させることなく薄膜供給物を支持する工程を含む。
【００２６】
本方法は、シールステーションの下流位置において機械から袋を取り出す工程を含む。或いは又は加えて、本方法は、供給ステーションを通過した薄膜を付勢する管を介して供給される空気を含み、空気は管を前方に付勢する唯一の力である。
【００２７】
本方法は、シールステーションの作動頻度を変更する工程、或いは薄膜供給速度を変更する工程、或いはそれら両工程を含む。本方法は、薄膜供給物から第１長さの袋を自動的に形成し、次に長さの異なる袋を形成し、又は空気量の異なる袋を形成し、或いはそれらの組み合わせた袋を形成するように機械を調整する工程を含む。本方法は、例えばシールをもたらす前に必要長さを手動で引っ張る等によって、シール間における薄膜長さを変更することにより、袋の全長を変更する工程を含む。
【００２８】
本方法は、例えばシールステーションから出される管の方向を変更することにより、所定長さの袋に入れられる空気量を変更する工程を含み、又はシールステーションの下流において管壁の伸張を制限する工程を含み、例えばその制限は手動で行われ、又はシールステーションを通過する薄膜の速度を変更する工程を含み、又はそれら工程の組み合わせを含む。
【００２９】
本方法は、充填機を含み、充填機は第１量の空気を有する第１長さの袋を形成し、次に第２量の空気を有する第１長さの袋を形成し、第３量の空気を有する第２長さの袋を形成する。第３量の空気は第１又は第２量と同じであり、又それらは組み合わせられる。
【００３０】
本方法は、ファンから管を介して空気を供給する工程を含む。
本発明はまた、ここで言及する装置を使用した袋形成方法を含む。
本発明の更なる態様は、使用においてエアバッグに形成されるカートリッジであって、長手状管を含み、管はその長手軸に沿ってしわが寄せられており、しわが寄せられた薄膜の全長は伸張させられた薄膜の長さよりも短く、薄膜はその全長中に通路を含み、使用において薄膜管から形成されるエアバッグ内に空気を含むように空気は通路を通過させられる。
【００３１】
薄膜のしわ寄せ程度は、しわが寄せられた管の全長と完全に伸張させられた管の長さの比率が１対２よりも大きく、又は１対１０よりも大きく、又は１対１００の範囲内にあり、又は１対１００よりも大きく、又は１対２００の範囲内にあり、又は１対２００よりも大きく、又は１対３００の範囲内にあり、又は１対３００よりも大きい。
【００３２】
空気が薄膜を通過させられない時であっても通路は開放される。通路はしわが寄せられ
た薄膜の常態の屈曲中に開放するように構成される。カートリッジは容器を含み、薄膜は容器内に配置される。薄膜はその側面まわりが、或いは一方又は両端まわりが、容器から離れており、それらは組み合わされてもよい。
【００３３】
カートリッジは管の中に延在する長手状部材を含み、空気は長手状部材内を流通するように構成される。長手状部材はキャリヤを含む。
カートリッジ、キャリヤ、又は容器はストッパを含み、少なくとも一端はその端部から離れた管の通路を禁止するように構成される。ストッパはキャリヤと一体とされる。ストッパは円板を含む。或いは又は加えて、カートリッジは支持されるためにモーメント力をカートリッジ上に作用させることなく、下から支持されるように構成される。
【００３４】
キャリヤは管状部材等の中空部材を含む。中空部材及び機械は突部及び凹部を介して相互に協働する。中空部材は使用において、機械からの突部を収容するように構成され、突部は少なくとも部分的にカートリッジまで延在し、且つカートリッジに沿って延在するように構成される。
【００３５】
カートリッジはその一端にアダプタを含む。アダプタは例えば摩擦嵌合又はバイオネット嵌合によってカートリッジに取り外し可能に取り付けられる。アダプタは中空である。アダプタはカートリッジと反対側に面する出口を含み、管の長手軸を横断する方向寸法が管の長手寸法を同じく横断する横方向寸法よりも大きくされている。
【００３６】
本発明の更なる態様は、中空薄膜供給物にしわを寄せる方法であって、薄膜の一部が芯を包囲するように芯と管を相対移動させ、次に管の長手方向長さを減少させてより多くの薄膜に芯を包囲させる工程を含む。
【００３７】
本方法は、カートリッジの外側断面積よりも大きい内側断面積を有する中空薄膜を装着する工程を含む。
本方法は、薄膜を芯に装着する工程を含み、このように装着される薄膜の全長は芯の全長の１０倍より長く、又は２０倍より長く、又は５０倍より長く、又は１００倍まで、又は１００倍より長い。
【００３８】
本方法は、例えば薄膜を最初に装着する間に、中空薄膜の開放端を芯に配置する工程を含む。本方法は、例えば摩擦駆動により、或いは又は加えて、薄膜をカートリッジに対して且つカートリッジに沿って付勢する回転部材により薄膜を芯へ移動させる工程を含み、回転部材は薄膜の長手軸を横断する又は直交する軸まわりを回転する。
【００３９】
本方法は薄膜を芯へ移動させる工程を含む。駆動装置は第１駆動装置及び第２駆動装置を含み、第１駆動装置は薄膜をカートリッジに沿って第１方向へ移動させ、第２駆動装置は第１駆動装置が第１方向と反対の第２方向に作動する位置を移動させる。第１及び第２駆動装置は同時に作動する。第１駆動装置は回転する少なくとも第１部材、好適には芯の両側に配置される対向する２個の部材を含む。
【００４０】
本方法は、しわが寄せられた薄膜を芯から取り外す工程を含む。しわが寄せられた薄膜は取り外されてから、ここで言及する薄膜カートリッジにおいて、又はここで言及する袋形成方法において、又はここで言及するエアバッグ製造装置において使用される。
【００４１】
芯はカートリッジの一部を含む。
本発明はまた、ここで言及する方法により装着されたカートリッジを含む。
本発明の別の態様は、充填カートリッジであって、中空薄膜の供給物を有するカートリッジを含み、薄膜はその上に配置される薄膜の長手軸にそってしわが寄せられる。薄膜は
その長手軸に沿ってしわが寄せられていない時には、カートリッジよりも長い。
【００４２】
薄膜はカートリッジの断面積又は円周よりも断面積又は円周が大きい。
本発明はまた、ここで言及するエアバッグ製造装置に使用され、又はここで言及するエアバッグ製造方法に使用されるカートリッジを含む。
【００４３】
本発明には、ここで言及する構成又は限定のあらゆる組み合わせが含まれる。
本発明は種々の方法で実施可能であるが、幾つかの実施形態を一例として、添付の図面を参照にしつつ以下に詳述する。
【発明を実施するための最良の形態】
【００４４】
カートリッジ１０は中空シリンダ１４を含み、シリンダ１４はいずれかの端部に拡大端部円板を有する。プラスチック薄膜管１８はシリンダ１４上において蛇腹状に折り畳まれ、即ちしわが寄せられており、薄膜は端部円板１６によりカートリッジに保持される。全カートリッジの長さが１ｍであると、２００ｍの薄膜がカートリッジ上に蛇腹状に折り畳まれる。
【００４５】
カートリッジの後端において、円板１６がばね２２の作用に抗して座金２０を図３の右側方向へ押すことにより、カートリッジは機械に装着される。座金は管２４に取り付けられており、シリンダ１４の端部内面は管を越えて滑動する。座金２０が後方へ押されて固定背面板２６に近接した状態で、前方の円板１６はアダプタ３０の端部２８を通過させられ、アダプタ３０の円形状端部がシリンダ１４の前端と一致させられる。次にばね２２により作用させられる力が、シリンダをアダプタの円形状端部へ付勢する。カートリッジの前方への移動は、カートリッジの端部から軸方向に離間するシリンダの内側フランジ３２をアダプタの軸方向対向端部２８に当接させることにより制限される。
【００４６】
カートリッジが存在しない時には、管の端部において外方へ延在する小リム３４を係合させることにより、座金２０は管２４に保持される。
カートリッジの取り外しは上記記載の順序と反対に行われる。装着及び／又は取り外しは自動的に行われる。
【００４７】
カートリッジを取り付け又は取り外す適切な代替手段が提供される。例えば、カートリッジの前端がアダプタの端部を越えて滑動し、圧力嵌め又はバイオネット嵌めにされ、後端は適切な構成に自然になり、又は適切に構成され、又は適切な形態に保持される。
【００４８】
カートリッジが所定位置にある時には、薄膜の前端は集められて、図３の右側にある円板１６を越えて引っ張られる。薄膜はアダプタを越えて、第１のローラ対３６そして第２のロー対３８を通過させられる。ローラ３６又は３８或いは両方は上端又は下端或いは両方が離れるように上昇させられて、薄膜がアダプタを通過するのを助ける。或いは又は加えて、一対のうちの少なくとも１個のローラ又は各対の少なくとも１個のローラが駆動させられて、薄膜がアダプタを通過するのを助けてもよい。
【００４９】
次に薄膜は加工面４０を越えてシールステーション４２を通過する。必要に応じて駆動手段がシールステーションの下流に設けられており、シールステーションを通る薄膜の通過を助ける。或いは又は加えて、薄膜を通り送られる空気によって、薄膜がシールステーションを通過するようにし、或いは通過を助けるようにしてもよい。それらの駆動手段は一対の回転部材を含み、回転部材は袋と係合し、袋を図面の左側へ付勢する。或いは、駆動手段は薄膜を左側へ付勢又は引っ張る操作者を含む。
【００５０】
薄膜がこのように装着された状態で、シールステーションは作動させられる。
シールステーションは一対の熱線４４を含み、熱線４４は薄膜の幅方向に移動する。これら熱線４４は一対の柱４６に取り付けられており、熱線４４が薄膜の下方にある台４８へ向けて下方へ移動するように、柱４６は機械のいずれかの側面に取り付けられる。熱線が取り付けられた板５０はカム駆動により下方へ付勢されており、カム駆動（図示なし）は薄膜の下方において機械の一方側に配置される。カムの回転によりカムに接続されたロッドが駆動させられて、柱４６に更に取り付けられた板５２を台へ向けて、図示する板５０から台４８までの距離よりも長い距離だけ下降させ、そしてまた戻す。シールステーションにおいて薄膜は、密封させられる時に静止又は移動する。圧縮ばね５４はその移動の底側へ向けて圧縮させられており、熱線を台へ向けて付勢する。下側位置において熱線は薄膜を横切る方向に離間した２個のシールを形成する。同時に、台上に設けられた一連の大釘５６は、図４に示すようにシール５８間において薄膜を横切る方向に一連の穿孔６０を形成する。
【００５１】
板５０は各側方においてブラケット６２により台から離間するように上方へ戻される。ブラケット６２は板６２の上端にあり且つ下端において板５０に接続される。従って、ばねが圧縮している間において、板５２の下方への移動における下側部分の間にブラケットの上端は静止しているが、板５２がブラケット６２の上端と再度係合した時に、板５０は上昇させられる。
【００５２】
カートリッジの右側に取り付けられたファン６４は、矢印６６に示す方向へ向けてカートリッジを通るように空気を噴き出す。空気は中空アダプタの円形状右側端を通り、次にアダプタの一部を形成する菱形６８を通るように移動する。菱形６８はまた薄膜を伸張させるのを助ける。
【００５３】
一実施形態（図示なし）において、カートリッジはその左側端において、例えば円板１６により保持される。円板１６は左側へ移動しないように半円状凹部に保持される。その嵌合前に、ノズルはその左側端がバイオネット嵌合によりカートリッジのシリンダ内に入れられた状態で固定される。これにより、カートリッジがローラ３６及び３８の間に追いやられ且つ押し潰されるのが阻止される。半円形状凹部がばねに抗して移動させられることにより、ノズルは右側へ移動し、そしてローラへ向けて跳ね返る。半円状凹部が止め具に当接することにより、ノズルがローラ間で押し潰されるのが阻止される。管２４は図面に図示するよりも遠くカートリッジまで延在し、カートリッジの単独支援等の特別な支援を提供してもよい。或いは、管がカートリッジ中に延在するとともに、アダプタが管に取り付けられ、或いは管に接続され、或いは管と一体化させられてもよい。
【００５４】
各ローラ３６及び３８の少なくとも１個、好適には両方が駆動させられる。ローラ３６はローラ３８よりも僅かに遅い速度で薄膜を移動させるように構成される。これにより、薄膜はローラ間において小さな張力でカートリッジから確実に離れる。この作動を考慮に入れると、ローラ及びアダプタ間において薄膜がいくらかずれる。
【００５５】
別の実施形態（図示なし）において、カートリッジの前端はブラシ上で又は上側及び下側ブラシ間で支持されており、ローラ３６及び３８が省略されてもよい。ブラシが薄膜ホルダの端部を支持し、又は支持を助けてもよい。ブラシにはまた容易に押え具を設けてもよく、そこで薄膜はカートリッジから離れる。本実施形態において、薄膜はシールステーションの下流に配置された作業者によって、シールステーションを通るように引っ張られる。作業者は次の密封が行われる前に、シールステーションを通過するフィルムをその程度に又はそれよりも少なく引っ張る。また、シールステーションからのプラスチックのひろがり角度を変更することにより、袋内の空気量が変えられる。例えば、薄膜が管の軸と一致して真直ぐにステーションを通過すると、比較的一杯に充填された袋が作られる。形成される袋を屈曲させることにより軸に対する角度が増加させられると、充填量がより少
ない袋が作られる。作業者が形成されている袋を押し潰す等他の手段を使用して、所定長さの袋内に入れられる空気量を変えてもよい。
【００５６】
シールが薄膜の端部に形成された状態で、薄膜が前進させられると、ファンからの空気によって薄膜管の壁はシール上流と、作業テーブル４０辺りと、供給ステーションの下流とに離される。
【００５７】
熱線が再度下降させられると、更なるシール対を形成するために、新しく形成されたシールと先に形成されたシールの間において袋内に空気が閉じ込められる。熱線の代わりに、熱のインパルスを例えば線に与え、且つ薄膜を前進させる前において、薄膜が線の間で捕らえられる間に線を冷却することにより封止してもよい。
【００５８】
送風台７０は選択可能であり、板５０に固定される。台７０は薄膜の幅方向に延在するとともに、軸架台７２からアダプタへ向けて下方に延在する。その結果、板５０が下方へ移動すると、台は上流位置において薄膜と部分的に係合し、次に軸まわりを移動させられるにつれて（図示していないばねの作用に抗して）下流へ増加してゆき、空気を管間から前方へシールステーションを通過するように送り、シールによって形成された袋が充填させられ、或いは必要であれば適切に充填可能とされる。
【００５９】
ローラの速度を調節して、シールステーションへの薄膜供給速度を制御してもよい。
また、シールステーションにより付与されるシールの頻度が変更させられてもよい。
更に、例えばファンの速度を変えることにより、空気の供給速度が変更させられてもよい。
【００６０】
空気の供給、（手動で或いはローラ等により自動で行われるかに拘わらず）薄膜送り長さ、ローラ速度、又は密封頻度の中の１つ以上が自動的に、例えば制御装置（図示なし）により制御されてもよい。また、制御装置はこれらの要素の１つ以上を変更して、特定長さの袋を所定数だけ製造し、次に長さが異なる袋を製造してもよい。或いは又は加えて、空気量が異なる同じ長さの袋を製造してもよい。或いは又は加えて、空気量が同じ又は異なり且つ長さが異なる袋を製造してもよい。
【００６１】
一態様において、シールステーションの操作は例えば作業者によって手動で行われてもよく、作業者は足で操作されるスイッチを操作することにより、シールステーションにおいてシールをもたらす。
【００６２】
空気が空気供給手段から連続的に供給されると、薄膜管内の空間には連続的に空気が充填され、各袋への一定供給に左右されることがない。また、例えば部分的に充填されることにより角部で屈曲させることが可能な大きな袋が提供される。
【００６３】
作業者は特別注文に応じた製品を詰めてもよい。例えば、箱に置かれる製品の底になる４個のゆるみのない小袋を製造し、次に角部で屈曲させられる４個の締りのない大型袋を製造し、製品が箱に置かれた状態で、４側面の各々に対して中間長さの２個のゆるみのない袋を製造し、次に４個の上側角部に対して４個の締りのない大型袋を製造し、最後に上端に対して比較的ゆるく充填された２個の中間寸法の袋を製造する。製品が詰められながら、袋は単一の作業者によって連続的に製造される。
【００６４】
作業者はまた作業ベンチ上で製品を詰めることができ、袋は作業ベンチの横側又は下側に配置された機械から供給される。例えば、袋はベンチに設けられた開口から上昇させられる。
【００６５】
カートリッジに管状薄膜を装着するのは自動的に行われてもよい。例えば、薄膜管の一端はカートリッジを越えてその一端まで引っ張られる。次に、その端部において従動ローラが回転させられて、より多くの薄膜がそのカートリッジの端部へ向けて運ばれる。カートリッジ上で薄膜にしわが寄せられると、ローラはその端部から他方側の端部へ、例えばローラの軸により前進させられる。ローラ軸はローラのカタピラトラック取り付け装置により前進させられる。長さが１ｍのカートリッジに対して、５０から１００ｍの薄膜が装着される。
【００６６】
図５乃至図１１に示す実施形態について以下に説明する。シールステーションはカートリッジと同様に、前記実施形態において使用されたものである。また、本実施形態は前記記載と同様に作動する。
【００６７】
図５乃至図８に示すシールステーション１００は離間する一対の平行線を含み、線が加熱させられることにより離間したシールが形成される。線は静止交差部材１０２に取り付けられる。長溝（図示なし）が線の間に設けられており、鋸歯１０４は薄膜を貫通する時に長溝内を通過し、細片を弱めることにより袋が取り外される。
【００６８】
第１ソレノイド１０６を駆動し、同時に線を加熱することにより、シールが付与される。これにより離間する受け台１０８が下方へ移動させられるとともに、線の隣りで薄膜を保持する。線が加熱されるのと同時に、線は殆ど直ちに外され、薄膜は所定位置に保持されたままにされる。所定時間後（その間、密封温度は低下してゆき、良好な密封が得られる）、第２ソレノイド１１０が駆動させられて、受け台１０８が上昇させられるとともに、薄膜は前方へ引っ張られる。各ソレノイドには瞬間に動力が供給されるが、受け台の圧力は必要な期間だけ維持される。ソレノイドにより行われる作動について以下に説明する。
【００６９】
受け台１０８は交差部材１１２に取り付けられ、交差部材１１２は垂直方向のみに移動させられる。垂直方向に往復駆動される部材１１４が案内ロッド１１６を介して部材１１２のいずれかの端部に接続されるとともに、部材１１２及び１１４は圧縮ばね１１８により相互に離間するように付勢される。図５に示す位置において、部材１１４が下方へ押し出されてばね１１８を圧縮させることにより、薄膜は線の隣りで保持される。
【００７０】
受け台の圧力を解放し、且つ受け台を上方へ移動させるために、第２ソレノイドが駆動させられ、そのブランジャ１２０は図面の右側へ移動させられる。プランジャ１２０は板１２２に回転可能に接続される。板１２２の他端はピン１２４を有しており、ピン１２４は板を貫通するように延在し、また離間する板１２６に形成された円形状開口を貫通するように延在する。板１２６は固定軸１２８まわりを回転させられる。板１２６の下端はリンク機構１３０に回転可能に接続されており、リンク機構１３０は他端側が軸１３１により部材１１４に接続される。ばね１３２は軸１３０から上方へ延在しており、軸１３１をその方向へ付勢する。実線で図示する位置において、ソレノイド１１０が駆動させられる前に、ばね１３２はリンク機構１２２をオーバセンタ位置で保持し、その状態でリンク機構１２６の下側軸は図５を見た時に固定軸１２８の下且つ僅かに右側にある。図５にはこの構成は示されていないが、実際には軸は僅かに右側にある。これはオーバセンタ位置として知られている。
【００７１】
ソレノイド１１０が駆動されると、板１２６が反時計方向に回転する。僅かに移動した後、ばね１１８が部材１１４及び１３２をその許容最大距離だけ離間させるよう付勢している時には、ばね１３２が軸１３０そして部材１１４を上方へ付勢した状態で、板は中心を越えて元の位置へ移動して、最初は受け台の圧力を薄膜へ解放し、次に受け台を薄膜から離れるように上昇させる。この位置において、板１２２は図５に破線で示す位置にある
。
【００７２】
シールを付与するために、ソレノイド１０６が駆動させられて、そのプランジャ１３４は図５を見た時に左側へ移動する。プランジャは板１３６に回転可能に接続され、ピン１２４が板１３６の他端に回転可能に接続される。それ故、この移動によって板１２６は反時計方向に付勢されて、板１２６は図５に実線で示す位置へ移動させられる。これにより、ばね１１８が圧縮させられるにつれて、最初に受け台が下方へ移動させられて薄膜と接触し、次に受け台が薄膜に堅固に付勢させられる。
【００７３】
板１２６はピン１２８に関連してのみ回転させられるが、ピン１２４は板１２２の長溝１３８内を滑動することにより、板１２２に対して回転方向及び並進方向に移動可能である。それ故、実線で示す位置において、ピンは長溝の右側にあり、ソレノイド１１０の全移動が瞬間的に板１２２に付与される。プランジャ１２８が板１２２を引っ張ると、ピン１２４は長溝の左端にあり、ソレノイド１１０は十分な力を伝えて、板１２６のオーバセンタ動作を解放する。これによりばね１３２は部材１１４及び接続部品を上方へ戻す。
【００７４】
各ソレノイドは短く鋭く移動するのみで、その後に消磁されるので、ソレノイドは電力消費量が比較的少なく、且つ比較的安価になる。
図１０及び図１１に示すように、薄膜１４０は前述のようにしわが寄せられる。しかしながら本装置では、薄膜内部には何もない。小型の薄膜は概して自立型であり、且つ長手状ボール紙容器１４２内において結合されていない。容器１４２は断面が四角形状であり、且つ１つの角部が他の角部よりも上方になるように１個以上Ｖ字型支持具１４４に取り付けられる。支持具１４４は相互に離間する。容器の前端は水平長溝１４６を含み、長溝１４６は容器の１つの角部から他の角部まで略延在する。容器の他端は開口を含む。使用に際して、容器は単に支持具１４４へ降ろされ、長溝はシールステーションに対向するとともに容器の他端は開口を有する板に接しており、その開口から容器へ、更に管を通るように空気が噴き出される。本実施形態において、駆動ローラを必要とすることなく、薄膜は手動でシールステーションを越えて引っ張られる。
【００７５】
管を通るように噴出される空気はシールステーションを通過し、シールステーションとシールステーションの下流において管に設けられたシールとの間で、管を膨張させる。次のシールを設ける前に必要な長さの管がシールステーションを通過するように引っ張られるだけで、いかなる長さの袋であっても形成することができる。同様に、袋には所望量の空気を入れることができる。例えば管がシールステーションを通過する際にゆっくりと引っ張り、又は管を引っ張った後に静止させるようにして、単位断面毎により多くの空気が許容され、或いは管を迅速に引っ張り、又は引っ張った直後に密封するようにして、より少ない空気が入れる。或いは又は加えて、より少ない空気を入れるように、管を上方又は下方へ引っ張ってシールステーションから出すようにしてもよい。
【００７６】
図９に示すように、一対の回転ピンチローラ１５０がシールステーションの直前、直後或いはその両方に設けられてもよい。これらによって管はシールステーションの幅方向に広げられたままで維持される。また、作業者の指が不注意でシールステーションに挟まれるのを阻止する。更に、上流のローラ１５０はそのまわりで薄膜が伸張させられる伸張板１５２により当接させられ、板１５２がシールステーションに到達するのが阻止される。板１５２は凹まされた前縁１５４を有し、空気は管内において板を流通させられる。ローラの幾つか或いは全部がその全長に沿ってキャスティレートされ、軸長さに沿って外径を変化させることにより、空気をより簡単に流通させて、管の膨張を促進してもよい。
【００７７】
本願に関連して本明細書と同時に、或いは本明細書より以前に提出され、且つ本明細書と共に公開される全ての論文及び文書が注目される。また、これら全論文及び文書の内容
はここに言及することにより組み入れられる。
【００７８】
本明細書（添付の請求の範囲、要約書及び図面を含む）に開示された全ての特徴、及び／又はこれまでに開示された方法又は処理の全工程はどのように組み合わされてもよいが、このような特徴及び／又は工程の少なくとも幾つかが相互に両立しない組み合わせは除く。
【００７９】
本明細書（添付の請求の範囲、要約書及び図面を含む）に開示された各構成は同じ、同等又は同様な目的を果たす代替の構成に置き換えられてもよいが、別の方法が明言されている場合を除く。従って、別の方法が明言されていない限り、開示する各構成は同等又は同様な構成の包括的な一連物の一例に過ぎない。
【００８０】
本発明は前記（複数の）実施形態の詳細に限定されない。本発明は本明細書（添付の請求の範囲、要約書及び図面を含む）に開示される構成の新規のもの、或いは新規な組み合わせにまで拡大されるとともに、これまでに開示された方法又は処理における工程の新規なもの、或いは新規な組み合わせにまで拡大される。
【図面の簡単な説明】
【００８１】
【図１】薄膜カートリッジ１０を示す斜視図。
【図２】駆動ローラに関連してカートリッジ１０を示す斜視図。
【図３】袋形成機を示す概略側面図。
【図４】袋１２の線を示す斜視図。
【図５】送風台が取り付けられたシールステーション代替物を示す正面図。
【図６】図５に図示するシールステーションの種々の部分を示す側面図。
【図７】図５に図示するシールステーションの種々の部分を示す平面図。
【図８】図５に図示するシールステーションの種々の部分を示す平面図。
【図９】図５乃至図８に図示するシールステーションのシール部を示す概略斜視図。
【図１０】図５乃至図９に使用されるカートリッジの一方側を示す概略斜視図。
【図１１】図５乃至図９に使用されるカートリッジの他方側を示す斜視図。
【図１】
2006518310.tif 000003
【図２】
2006518310.tif 000004
【図３】
2006518310.tif 000005
【図４】
2006518310.tif 000006
2006518310.tif 000007
【図６】
2006518310.tif 000008
【図９】
2006518310.tif 000009
【図１０】
2006518310.tif 000010
【図１１】
2006518310.tif 000011
【国際調査報告】
2006518310.tif 000012
2006518310.tif 000013
2006518310.tif 000014
2006518310.tif 000015
2006518310.tif 000016